(57)【要約】【課題】  現代的な絵画やカラフルな絵画等にも良くマッチする、意匠性の高い額縁を提供する。【解決手段】  多角形の各辺を構成する各枠部材21、22、23、24の表側が、全て異なる色になるように塗装し、これらの枠部材の端部どうしを接合して額縁1を構成した。【選択図】  図１
2006000209.tif 000002
【特許請求の範囲】
【請求項１】
多角形の各辺を構成する枠部材が、異なる複数の意匠を有していることを特徴とする額縁。
【請求項２】
各辺の枠部材がすべて異なる意匠を有していることを特徴とする請求項１記載の額縁。
【発明の詳細な説明】
【技術分野】
【０００１】
本発明は、絵画、写真などを入れるのに用いられる額縁に関する。
【背景技術】
【０００２】
絵画、写真、イラスト等の作品を展示する場合、これらの作品の周囲に配して飾る額縁が用いられる。従来のこの種の額縁は、木製、金属製、プラスチック等の枠材の表側に着色、模様、彫刻等の装飾等が設けられて構成される。これらの装飾は、枠材に直接塗装したり、装飾を施した化粧シート等を貼付ける等の手段が用いられる。
【０００３】
このような従来の額縁は、例えば金属製枠材の場合には単一の色であったり、飾りが1種類しかなかったため単調であり趣が乏しいものであった。そこでこのような趣を向上させた額縁として、例えば、図5に示すように金色に形成した各枠材101の前面部の縁102、103を除く部分にテープ状の木目調の着色部材104を貼着して、正面から見た場合に金色の縁と、木目に形成された内側部分とからなる2色に彩色を施した額縁100が公知である(特許文献1参照)。
【０００４】
【特許文献１】登録実用新案第3006035号公報(0012、図1)
【発明の開示】
【発明が解決しようとする課題】
【０００５】
しかし、上記従来の額縁は、図5に示すようには、4辺の各枠部材101A〜101Dを見た場合、全部の枠部材は基本的に同じ意匠に構成されているから、やはり単調な意匠に見えることは避けられず、更に高い意匠性が望まれる。
【０００６】
本発明は上記課題を解決するためになされたものであり、意匠性の高い額縁を提供することを目的とする。
【課題を解決するための手段】
【０００７】
即ち本発明は、
（１）多角形の各辺を構成する枠部材が、異なる複数の意匠を有していることを特徴とする額縁、
（２）各辺の枠部材がすべて異なる意匠を有していることを特徴とする上記（１）記載の額縁、
を要旨とするものである。
【発明の効果】
【０００８】
本発明額縁は、額縁の各辺を構成する枠部材が異なる複数の意匠を有するように構成したことにより、従来の額縁は、表面に多少の装飾を施したにせよ、各辺を見ると同じ形態の意匠であったから、全体の印象は単調で変化の乏しい退屈なものであったのに比較して、意匠的にきわめて変化に富んだ額縁が得られる。
【０００９】
また本願発明額縁は、各辺全てが異なる意匠を有するように構成すれば、現代の絵画、写真等の多様な表現に対応することが可能である。このようにすべての辺が異なる意匠に形成した場合、特にカラフルな絵画やモダンな絵画等に良くマッチさせることができる。
【００１０】
また本願発明額縁は、デザインを変化させた複数種類の長尺な棹縁を準備しておけば、それらを所定の長さに切断して各辺を構成する枠部材とし、この枠部材を組み合わせて多角形の額縁を組み立てれば、複数種類の部材の組み合わせにより、サイズや形状の異なる多品種の意匠性の高い額縁を容易に製造することができる。
【発明を実施するための最良の形態】
【００１１】
図1は本発明額縁の一例を示す正面図であり、図2は図1のB-B線縦断面図である。図1に示すように本発明額縁1は、該額縁1の多角形の各辺を構成する周囲の枠部材2(21、22、23、24)が、異なる複数の意匠を有しているものである。具体的に図1に示す額縁は4角形の額縁であり、四角形の4辺を構成する枠部材21、22、23、24の4つの部材の端部が接合一体化されて構成されたものである。上記枠部材21、22、23、24は、表側がいずれも異なる色に塗装された木材から形成されている。
【００１２】
また図1に示す態様の額縁1は、枠部材21、22、23、24は縦断面形状が、図2に示すようにL字形に形成されており、また材質はすべて同じ材質(木材）から形成してなり、表の色のみが異なるように構成した。図2に示すように、図1の額縁1は、枠部材21の基材21bに対し、額縁の外側から見える部分となる額縁側面及び表面が塗装面21aとして形成されている。他の枠部材22〜24も同様に表面が塗装面22a〜24dとして形成されている。
【００１３】
本発明額縁において、外形形状は4角形に限定されず、他の多角形であってもよい。また、各辺を構成する枠部材の異なる意匠とは、その要素として、色の相違、形状の相違、材質の相違等が挙げられ、これらの要素のいずれか1種のみが異なる様にしてもよいが、これらの要素の2種以上を組み合わせてもよい。この場合、少なくとも2種類以上の異なる意匠を備えていれば良い。また、各辺が全て異なる意匠に形成するのが好ましい。この場合特に、意匠として色を異なるように形成することは、視覚的には最も効果的である。
【００１４】
例えば図3は辺の数が6つの6角形に形成した態様を示す。図3の額縁1は、6つの辺のうち、それぞれ対向する辺となる枠部材21と枠部材24、枠部材22と枠部材25、枠部材23と枠部材26を同じ色に形成し、枠部材21、22、23は夫々異なる色に形成してなるものである。これは額縁を正面から見た場合に額縁の中心に対し対称となるように構成したものである。また特に図示しないが、額縁１左右を２分する中心線に対して左右対称になるように枠部材の色、意匠などを形成してもよい。
【００１５】
図4は辺の数が8つの8角形に形成した態様を示す。図4の額縁1は、8つの辺のうち、それぞれ対向する辺となる枠部材21と枠部材25、枠部材22と枠部材26、枠部材23と枠部材27、枠部材24と枠部材28が異なる色に形成し、（a）枠部材22及び23、(b)枠部材24及び25、(c)枠部材26及び27、(d)枠部材28及び21は夫々同じ色に形成し、(a)〜(ｄ)はすべて異なる色に形成してなるものである。このように、中心に対しても、あるいは左右の中心線に対しても非対称構造を表現することができる。
【００１６】
本発明額縁は、各辺を構成する枠部材の断面形状は図1に示す形状に限定されず、額縁に入れる作品などを保持できるように形成されていればよく、コ字状、その他の形状に形成することができる。
【００１７】
美の構造は、左右対称(シンメトリー）、左右非対称、形の否定（アンフォルメル)等のように、時代と共に益々、複雑になってきている。また、これらは、複写機、コンピュータの発達、普及などにより、一層加速されている。額縁は、従来より作品を引きたたせる為の従という考えが強かったが、積極的に額縁も作品の一部とする概念もある。本願発明は、このような進歩した概念を持つ作品にも最適に対応させることができる。
【００１８】
本発明額縁1は、棹縁を用いた製造、本縁を用いた製造の、従来公知のこの種の額縁の製造方法により製造することができる。特に棹縁を用いた製造は、少種類の棹から視覚的に多様な製品を量産することが容易である為に、製造コストが安価になるという利点があり好ましい。
【００１９】
例えば図1に示す額縁を製造する場合、枠部材21、22、23、24を構成する各色の4種類の長尺な棹縁を製造しておく。この長尺な棹縁をそれぞれ所定の長さに切断して枠部材21、22、23、24を得た後、これら枠部材の端部を所定の手段で接合すれば、額縁1が得られる。枠部材端部の接合手段は、接着剤を用いた接着、金具を用いた接合等が挙げられる。また接合部は補強を施しても良い。
【００２０】
例えば、サイズの異なる額縁を製造する場合には、これらの、棹縁の長さを所定の長さに切断して組み合わせれば、所定のサイズの額縁が得られる。また、デザインを変更したい場合には、色の異なる長尺な棹縁を多数準備しておいて、それらの色を適宜組み合わせて各辺の枠部材を接合することで、意匠の異なる多種類の額縁が容易に得られ、多品種少量生産に対応できる。
【００２１】
また、手作りで各辺の枠部材を製造し、それらの枠部材を接合してもよい。また、成型品等により多角形の枠部材を一体成形し、表面に化粧シートを貼る等して、各辺の枠部材に装飾を施して意匠を付与してもよい。
【図面の簡単な説明】
【００２２】
【図１】本発明額縁の一例を示す正面図である。
【図２】図1のB-B線縦断面図である。
【図３】本発明額縁の態様を示す正面図である。
【図４】本発明額縁の態様を示す正面図である。
【図５】従来の額縁の一例を示す正面図である。
【符号の説明】
【００２３】
1  額縁
2、21、22、23、24  枠部材
【図１】
2006000209.tif 000003
【図２】
2006000209.tif 000004
【図３】
2006000209.tif 000005
【図４】
2006000209.tif 000006
【図５】
2006000209.tif 000007